(57)【要約】【課題】底面部を伝って小便が取り付け壁面側に流れることを抑制することができ、臭いの発生を抑えることができる。【解決手段】使用状態で正面視したときの前面に位置する便鉢１１と、便鉢１１から後方に向けて延びる周壁部１２と、を有し、周壁部１２は、上面部１２Ａと、上面部１２Ａに連設される左右一対の側面部１２Ｂと、側面部１２Ｂに連結され便鉢１１の下方前面に位置する前面部１２Ｄと、前面部１２Ｄ及び一対の側面部１２Ｂに連設される底面部１２Ｅと、を有し、底面部１２Ｅの前部には、側面視で下に凸となる前後凸曲面１２ｄが形成された小便器を提供する。【選択図】図４
2019178572.tif 000002
【特許請求の範囲】
【請求項１】
使用状態で正面視したときの前面に位置する便鉢と、該便鉢から後方に向けて延びる周壁部と、を有する小便器であって、
前記周壁部は、左右一対の側面部と、該側面部に連結され前記便鉢の下方前面に位置する前面部と、該前面部及び前記一対の側面部に連設される底面部と、を有し、
前記底面部の前部には、側面視で下に凸となる前後凸曲面が形成されていることを特徴とする小便器。
【請求項２】
前記前後凸曲面は、前記前面部から前記底面部に向けて連続する曲面で湾曲し、その湾曲部の後方側で上向きに延びて形成されている請求項１に記載の小便器。
【請求項３】
前記前面部は、前記底面部から上方に向けて前方に傾く前傾斜に形成されている請求項１又は２に記載の小便器。
【請求項４】
前記側面部の下方領域は、前方に向かって狭まるように湾曲しながら前記前面部にかけて傾斜している請求項１乃至３のいずれか１項に記載の小便器。
【請求項５】
前記底面部には、上方に向けて窪んだ底凹部が形成され、
前記底凹部の下端縁は、前記便鉢の排水口に接続される排水トラップの下端よりも下方に位置している請求項１乃至４のいずれか１項に記載の小便器。
【請求項６】
前記底凹部の後壁は、鉛直方向に延びる垂直壁を形成している請求項５に記載の小便器。
【請求項７】
前記垂直壁の上端から前方に向けて前記排水トラップの外周壁が接続され、
前記排水トラップにおける前記垂直壁の前側に対向する部分が前方に向かうに従って漸次、水平面に対する傾斜角度が小さくなるように下向きに傾斜している請求項６に記載の小便器。
【請求項８】
前記底凹部の前方下端は、正面視で幅方向の中央部で下側に凸となる左右凸曲面が形成されている請求項５乃至７のいずれか１項に記載の小便器。
【請求項９】
前記底面部には、上方に向けて窪んだ底凹部が形成され、
前記底凹部の前方下端は、正面視で幅方向の中央部で下側に凸となる左右凸曲面が形成されている請求項１乃至４のいずれか１項に記載の小便器。
【請求項１０】
前記便鉢と前記周壁部との接続部をなすリムは、縁無し形状をなし、
前記便鉢内の下方領域には、水平断面視で前記リムの開口幅よりも大きい幅を有する部分が形成されている請求項１乃至９のいずれか１項に記載の小便器。
【発明の詳細な説明】
【技術分野】
【０００１】
本発明は、小便器に関する。
【背景技術】
【０００２】
従来、小便器として、例えば特許文献１に示すような、自身の最下部が床面から浮いた状態となるように背後の壁面に沿って取り付けられる壁掛け式のものが知られている。一般的には使用状態で正面視したときの前面に位置する便鉢と、便鉢から後方に向けて延びる周壁部と、を備えたものとなっている。
このような小便器の周壁部は、上面部と、上面部に連設される左右一対の側面部と、側面部に連結され便鉢の下方前面に位置する前面部と、前面部及び一対の側面部に連設される底面部と、を有している。
【先行技術文献】
【特許文献】
【０００３】
【特許文献１】特開２０１７−４４０１０号公報
【発明の概要】
【発明が解決しようとする課題】
【０００４】
しかしながら、上述した特許文献１に示すような従来の小便器では、前面部が下方の底面部に向かうに従い後方に延びる傾斜面が形成され、かつ底面部が平坦に形成されている。そのため、前面部から底面部に流れた小便が底面部の平坦部分を伝って、小便器が取り付けられている壁面にまで達してしまう。壁面に達した小便は壁面と小便器の後面との間に浸入し、異臭が発生するという問題があった。また、小便が壁面まで伝わってしまうと、清掃の際に小便器の後方の奥側まで手を差し込んで清掃する必要があり、清掃がし難く、清掃の作業効率が悪くなることから、その点で改善の余地があった。
【０００５】
本発明は、上述する問題点に鑑みてなされたもので、底面部を伝って小便が取り付け壁面側に流れることを抑制することができ、臭いの発生を抑えることができる小便器を提供することを目的とする。
【課題を解決するための手段】
【０００６】
上記目的を達成するため、本発明に係る小便器は、使用状態で正面視したときの前面に位置する便鉢と、該便鉢から後方に向けて延びる周壁部と、を有する小便器であって、前記周壁部は、左右一対の側面部と、該側面部に連結され前記便鉢の下方前面に位置する前面部と、該前面部及び前記一対の側面部に連設される底面部と、を有し、前記底面部の前部には、側面視で下に凸となる前後凸曲面が形成されていることを特徴としている。
【０００７】
本発明に係る小便器によれば、周壁部の前面部にかかった小便が下方の底面部に向けて流れたときに、底面部の前部に形成される下に凸となる前後凸曲面の前側から突端（下端）へ流れるが、前後凸曲面の後側が上り勾配となることから突端に達した小便が前後凸曲面の後方側に伝っていくことを規制することができる。つまり、前面部から前後凸曲面に達した小便は突端部分の手前で止まることから、小便器の前側で小便を清掃することができ、容易にかつ確実な清掃を行うことができる。しかも前後凸曲面が曲面形状であるため、小便の流れの勢いを落とし、床上に滴下することを防止できる。
【０００８】
このように本発明では、小便が底面部を伝って小便器が取り付けられる背面側の壁面に達することを抑制することができ、従来のように壁面に達した小便が壁面と小便器の後面との間に浸入することによる悪臭の発生を防止できる。また、頻繁に小便器の奥側に手を差し込んで清掃する必要がなく、清掃にかかる手間や効率を向上させることができる。そして、清掃を行い難い壁面側に小便が付着する汚れ残しが少なくなることから、臭いの発生を抑えることができる。
また、前後凸曲面を設けることにより、正面視で排水トラップの下端部分を隠すことができ、意匠性を向上させることができる。
【０００９】
また、本発明に係る小便器は、前記前後凸曲面は、前記前面部から前記底面部に向けて連続する曲面で湾曲し、その湾曲部の後方側で上向きに延びて形成されていることが好ましい。
【００１０】
この場合には、周壁部の前面部から連続的に前後凸曲面に小便がスムーズに伝わるので、例えば前後凸曲面に達する手前の位置で小便が溜まってしまうことを防ぐことができる。
【００１１】
また、本発明に係る小便器は、前記前面部は、前記底面部から上方に向けて前方に傾く前傾斜に形成されていることが好ましい。
【００１２】
この場合には、前面部が前傾姿勢となるため、前面部にかかった小便が底面部側に向けて流れ易くなり、前面部の途中に小便が留まることを抑えることができる。しかも、前面部が前傾姿勢となることで、底面部の位置が後方側に隠れた位置となるため、前後曲面部で止まった小便が使用者から見えにくくなる利点がある。
【００１３】
また、本発明に係る小便器は、  前記側面部の下方領域は、前方に向かって狭まるように湾曲しながら前記前面部にかけて傾斜していることが好ましい。
【００１４】
本発明では、周壁部における側面部の下方領域にかかった小便が前面部側に伝うようになるため、側面部の下方領域から前面部に集められた小便を底面部の前部に設けられる前後凸曲面に向けて流すことが可能となる。
【００１５】
また、本発明に係る小便器は、前記底面部には、上方に向けて窪んだ底凹部が形成され、前記底凹部の下端縁は、前記便鉢の排水口に接続される排水トラップの下端よりも下方に位置していてもよい。
【００１６】
本発明では、底凹部が形成されているので、底凹部における底面部と床との間を利用して清掃を行うことができる。このとき排水トラップが底凹部の下端縁よりも上方に位置しているので、底面部と床との間に進入させた清掃治具等が排水トラップに当たることがないので、排水トラップの破損を防止することができる。また、排水トラップが底凹部内に収まっていて側面視で排水トラップが隠れて見えない状態となっているので、意匠性を向上させることができる。
【００１７】
また、本発明に係る小便器は、前記底凹部の後壁は、鉛直方向に延びる垂直壁を形成していてもよい。
【００１８】
この場合には、底凹部の垂直壁を小便器を取り付ける壁面に添わせて配置し、底凹部のスペースを利用して垂直壁にボルトを挿通させて壁面に固定することができる。この場合、垂直壁を壁面に平行に配置できるので、固定に伴う陶器製の小便器本体の割れを防止することができる。
【００１９】
また、本発明に係る小便器は、前記垂直壁の上端から前方に向けて前記排水トラップの外周壁が接続され、前記排水トラップにおける前記垂直壁の前側に対向する部分が前方に向かうに従って漸次、水平面に対する傾斜角度が小さくなるように下向きに傾斜していてもよい。
【００２０】
本発明では、垂直壁と排水トラップとの間のスペースを広く確保することができ、前述したようなボルトの締結がし易くなる。
【００２１】
また、本発明に係る小便器は、前記底凹部の前方下端は、正面視で幅方向の中央部で下側に凸となる左右凸曲面が形成されていてもよい。
【００２２】
本発明では、前面部から伝わる小便が留まる前後凸曲面の近傍に位置する左右凸曲面が曲面を形成しているので、前後凸曲面とともに清掃がしやすくなる。
【００２３】
また、本発明に係る小便器は、前記底面部には、上方に向けて窪んだ底凹部が形成され、前記底凹部の前方下端は、正面視で幅方向の中央部で下側に凸となる左右凸曲面が形成されていることが好ましい。
【００２４】
本発明では、前面部から伝わる小便が留まる前後凸曲面の近傍に位置する左右凸曲面が曲面を形成しているので、前後凸曲面とともに清掃がしやすくなる。
【００２５】
また、本発明に係る小便器は、前記便鉢と前記周壁部との接続部をなすリムは、縁無し形状をなし、前記便鉢内の下方領域には、水平断面視で前記リムの開口幅よりも大きい幅を有する部分が形成されていることを特徴としていてもよい。
【００２６】
本発明では、リムが便鉢内より開口幅が狭いために、便鉢内の広がった部分から跳ね返る小便をリムで防ぐことができるので、便鉢の外方に小便が跳ね返ることを抑制することができる。
【発明の効果】
【００２７】
本発明の小便器によれば、底面部を伝って小便が取り付け壁面側に流れることを抑制することができ、臭いの発生を抑えることができる。
【図面の簡単な説明】
【００２８】
【図１】本発明の実施形態による小便器を示す斜視図である。
【図２】図１に示す小便器を前方から見た正面図である。
【図３】図２に示す小便器を右方向から見た側面図である。
【図４】図２に示すＩ−Ｉ線断面図である。
【図５】図２に示す小便器において便鉢の下方の一部を破断した正面図である。
【図６】小便器の水平断面図であって、（ａ）は図５に示すＩＩ−ＩＩ線断面図、（ｂ）は図５に示すＩＩＩ−ＩＩＩ線断面図、（ｃ）は図５に示すＩＶ−ＩＶ線断面図である。
【図７】図５に示すＶ−Ｖ線断面図である。
【図８】図２に示す小便器を上方から見た平面図である。
【図９】図２に示す小便器を下方から見た平面図であって前方を紙面左側にした図である。
【図１０】図３に示す小便器の下部の構成を示す要部拡大図である。
【図１１】図１０に示す小便器の縦断面図である。
【図１２】図４に示す小便器において、開口部の形状を示した図である。
【図１３】（ａ）は図３に示すＶＩ−ＶＩ線断面図、（ｂ）はＶＩＩ−ＶＩＩ線断面図である。
【図１４】（ａ）〜（ｃ）は、変形例による小便器の下部の構成を示す要部拡大図である。
【発明を実施するための形態】
【００２９】
以下、本発明の実施形態による小便器について、図面を参照しながら説明する。
【００３０】
図１〜図４に示すように、本実施形態による小便器１は、自身の最下部が床面から浮かされた状態となるように背後の壁面Ｋに沿って取り付けられる壁掛け式の小便器を対象としている。小便器１は、便鉢１１を有する陶器製の小便器本体１０と、便鉢１１を洗浄するためのスプレッダー２（図４参照）と、便鉢１１の鉢底面１１Ｃに設けられる排水口１１ｃに接続される排水トラップ３（図４参照）と、を備えている。
【００３１】
ここで、本実施形態においては、使用者が小便器１を正面視するように位置した際に使用者に近い側を前側とし、反対側の遠い側を後側とする。また、小便器１の前側と後側との間に連なる部分を側方とする。また、小便器１を前側から見たときの左右方向を左右方向Ｘ１といい、前側と後側の方向を前後方向Ｘ２という。
【００３２】
小便器本体１０は、前面に位置する便鉢１１と、便鉢１１の開口部１３から後方に向けて延びる周壁部１２と、を有している。小便器本体１０の後端縁１０ａは、側方から見て鉛直方向に延び、壁面Ｋに対して当接させた状態で設置される。
【００３３】
周壁部１２は、上面部１２Ａと、上面部１２Ａに連設される左右一対の側面部（左側面部１２Ｂ、右側面部１２Ｃ）と、左側面部１２Ｂ及び右側面部１２Ｃに連結され便鉢１１の下方前面に位置する前面部１２Ｄと、前面部１２Ｄ及び一対の側面部１２Ｂ、１２Ｃに連設される底面部１２Ｅと、を有している。周壁部１２の前端に形成される開口部１３は、便鉢１１の外周縁に対して連続的に接続されている。すなわち、便鉢１１と周壁部１２とは一体構造となっている。
【００３４】
上面部１２Ａは、前後方向Ｘ２に幅を有して左右方向Ｘ１に延在し、全体が左右方向Ｘ１の中央部から左右両側の側面部１２Ｂ、１２Ｃに向けて下向きに湾曲している。さらに、上面部１２Ａは、左右方向Ｘ１の全体にわたって前後方向Ｘ２で前側から後側へ向かうに従い漸次、下方になるように傾斜している。すなわち、少なくとも小便器本体１０の最上部（上面部１２Ａの頂部）において、手前側部分１２ａが奥側部分１２ｂよりも高い位置となっている。
【００３５】
左右に位置する左側面部１２Ｂ及び右側面部１２Ｃに前端は、上方から下方に向かうに従って漸次、前方となるように直線状に傾斜する前端傾斜部１２ｃが形成されている。さらに、左側面部１２Ｂ及び右側面部１２Ｃは、図５〜図８に示すように、上下方向Ｘ３の全体にわたって前後方向Ｘ２で前側から後側へ向かうに従い漸次、左右方向Ｘ１の内側から外側に向けて傾斜している。すなわち、左側面部１２Ｂ及び右側面部１２Ｃは、正面視で手前より奥側で左右方向Ｘ１の外側に張り出して見えるように形成されている。
【００３６】
また、左側面部１２Ｂ及び右側面部１２Ｃの下方領域は、図７に示すように、前方に向かって狭まるように湾曲しながら前面部１２Ｄにかけて傾斜している。このときの湾曲部の曲率半径Ｒは、例えばＲ１１０ｍｍと比較的で大きな曲率に設定されている。そのため、側面部１２Ｂ、１２Ｃに付着した小便は、前面部１２Ｄの凸頂部に集まる。
【００３７】
前面部１２Ｄは、図３及び図４に示すように、底面部１２Ｅから上方に向けて前方に傾く前傾斜に形成されている。
【００３８】
底面部１２Ｅは、前面部１２Ｄ及び両側面部１２Ｂ、１２Ｃのそれぞれの下端縁に連続的に接続されている。底面部１２Ｅには、図５、図９〜図１３に示すように、下方から見た平面視で中央部において上方に向けて窪んだ底凹部１２Ｆが形成されている。
【００３９】
排水トラップ３は、図４及び図５に示すように、管状の流路を形成し、一端の流入口３ａが便鉢１１の鉢底面１１Ｃの排水口１１ｃに接続され、他端の流出口３ｂが小便器本体１０の後面側に設けられている。図１１に示すように、排水トラップ３は、略下半部分が凹底部１２Ｆの凹部に配置されている。
【００４０】
具体的に排水トラップ３は、排水口１１ｃから下方に延びる排水筒３１と、排水筒３１の下端開口から排水筒３１の後方に向けて略１８０度折り返す湾曲壁３２と、湾曲壁３２から上方に向けて延びる上向き壁３３と、を有している。
排水筒３１は、排水筒３１内と外周側の後述する便器空間部１４とが連通しないように遮断する遮断壁を構成している。上向き壁３３の上部後面側には、上述した流出口３ｂが設けられている。この流出口３ｂには、壁面Ｋの内側に設けられる図示しない排水管の端部が接続される。排水トラップ３の湾曲壁３２の下端３２ａは、排水トラップ３全体の最も下端３ｃに位置し、底面部１２Ｅよりも上方に位置している。
【００４１】
図１０及び図１１に示すように、底凹部１２Ｆの下端縁に位置する底面部１２Ｅは、便鉢１１の排水口１１ｃに接続される排水トラップ３の下端３ｃよりも下方に位置している。
また、図１１に示すように、底凹部１２Ｆの後壁は、鉛直方向に延びる垂直壁１４３を形成している。この垂直壁１４３の上端から前方に向けて排水トラップ３の外周壁が接続されている。排水トラップ３における垂直壁１４３の前側に対向する部分（上向き壁３３）は、前方に向かうに従って漸次、水平面に対する傾斜角度が小さくなるように下向きに傾斜している。
【００４２】
なお、底凹部１２Ｆの陶器製の内面は、釉薬で被覆されている。このように底凹部１２Ｆの内面に被覆された釉薬によって滑らかに仕上げられているので、この内面に汚れが付着しにくくなる。そのうえ、釉薬が被覆された内面の清掃性が高まり、付着した汚れを簡単に落とすことが可能となるので、汚れが目立ちにくくなる。
【００４３】
小便器本体１０には、便鉢１１と周壁部１２との間で囲まれた中空状に形成され、排水トラップ３の周囲を囲む便器空間部１４が形成されている。
【００４４】
底面部１２Ｅに形成される底凹部１２Ｆは、部分的に排水トラップ３に沿った形状に形成されている。
底凹部１２Ｆの前方下端は、図２に示すように、左右方向Ｘ１の中央部で下側に凸となる左右凸曲面１２ｅが形成されている。
【００４５】
図１１に示すように、便器空間部１４を構成する底凹部１２Ｆの周壁には、底面部１２Ｅから上方に向けて延びる立上り壁１４１と、立上り壁１４１の上端から排水筒３１の外周面に向けて延びて、排水筒３１の上下方向の途中の位置で接続される連結壁１４２と、が設けられている。
【００４６】
連結壁１４２は、底凹部１２Ｆの天面に相当し、排水筒３１における後端寄りの位置から前方の範囲に配置されている。すなわち、連結壁１４２と、排水筒３１における連結壁１４２との接続部より上側の部分と、の間に便器空間部１４の一部（排水側空間１４Ａ）が形成されている（図１３（ａ）、（ｂ）参照）。
【００４７】
連結壁１４２は、図１１及び図１３（ｂ）に示す前方連結壁１４２Ａと、図１３（ａ）に示す後方連結壁１４２Ｂとからなり、前方連結壁１４２Ａが後方連結壁１４２Ｂよりも下方となる高さに位置し、それぞれの前後方向Ｘ２の境界部分に上下の段差が形成されている。双方の連結壁１４２Ａ、１４２Ｂ同士の前後方向Ｘ２の境界部分は、図９に示すように、排水トラップ３の排水筒３１（後述する）の前後方向Ｘ２の略中央部分に位置している。
【００４８】
底面部１２Ｅの前部には、図１０及び図１１に示すように、底凹部１２Ｆよりも前方の位置において、側面視で下に凸となる前後凸曲面１２ｄが形成されている。前後凸曲面１２ｄは、前面部１２Ｄから底面部１２Ｅに向けて連続する曲面で湾曲し、その湾曲部の後方側で上向きに延びて底凹部１２Ｆに接続するように形成されている。前後凸曲面１２ｄは、図９に示すように、下方から見た平面視で左右方向Ｘ１の全体にわたって前側に凸となるように湾曲している。このような湾曲部を設けることで、清掃性が良好となる。なお、前後凸曲面１２ｄにおける前側に凸となる湾曲部の曲面範囲は、左右方向Ｘ１の全体であることに限定されず、左右両側の角部のみに曲面を形成させた形状であってもよいが、清掃性を高めるためにはこの角部の曲面の曲率半径は大きい方が好ましい。
【００４９】
便鉢１１は、図１２に示すように、上部から下部まで使用者に対向するように開いた開口部１３を有している。開口部１３は、左側面部１２Ｂ及び右側面部１２Ｃのそれぞれの前端傾斜部１３ａ、１３ａと、一対の前端傾斜部１３ａ、１３ａの上端に連設する上面部１２Ａの上前端円弧部１３ｂと、一対の前端傾斜部１３ａ、１３ａの下端に連設する前面部１２Ｄの下前端円弧部１３ｃと、が形成されている。
一対の前端傾斜部１３ａ、１３ａ、上前端円弧部１３ｂ、及び下前端円弧部１３ｃは、それぞれ同一平面上に位置している。一対の前端傾斜部１３ａ、１３ａは、互いに平行となっている。上前端円弧部１３ｂ、及び下前端円弧部１３ｃは、それぞれ略同一の曲率半径からなる単一の円弧を形成している。開口部１３は、この開口部１３を含む平面に直交する方向から見て上下対称の形状をなしている。
【００５０】
便鉢１１は、図１３（ａ）、（ｂ）に示すように、上下方向Ｘ３の全領域において、正面部１１Ａと、正面部１１Ａの左右両側から前方に向けて突出するように延びる側面部１１Ｂと、鉢底面１１Ｃと、を有し、それぞれが滑らかに湾曲し、かつ連続的に接続している（図４参照）。
【００５１】
正面部１１Ａは、上方から鉢底面１１Ｃまで略鉛直方向に沿って延びている。正面部１１Ａにおける上端寄りの上部領域１１ａで左右方向Ｘ１の中央部には、前後方向Ｘ２に貫通する貫通穴１１ｂが形成されている。この貫通穴１１ｂには、スプレッダー２が嵌合されている。
【００５２】
正面部１１Ａと側面部１１Ｂ、１１Ｂとは、スプレッダー２から吐出される洗浄水Ｗを鉢底面１１Ｃまで導くことができるように、水平断面視で全体にわたって連続する凹曲面が形成されている。側面部１１Ｂは、図６（ａ）〜（ｃ）、及び図７に示すように、上方から下方に向かうに従い漸次、正面部１１Ａからの前方に向けて延びる突出量が増大している。つまり水平断面視において便鉢１１の凹部の深さは、下方に向かうほど上部よりも深くなっている。
【００５３】
また、正面部１１Ａの左右方向Ｘ１の幅寸法は、水平断面視において上下方向Ｘ３の全体にわたって開口部１３の開口幅よりも小さくなっている。
さらに、図７に示すように、便鉢１１と周壁部１２との接続部をなすリム１１Ｄは縁無し形状をなし、便鉢１１内の下方領域には、水平断面視でリム１１Ｄの開口幅Ｄ１よりも大きい幅Ｄ２を有する部分が形成されている。このような形状にすることにより、便鉢１１の外方に小便が跳ね返ることを抑制することができる。
【００５４】
左右一対の側面部１１Ｂ、１１Ｂの下側領域Ｐ１は、図１３（ａ）、（ｂ）に示すように、上方から鉢底面１１Ｃに向かうに従い漸次、左右方向Ｘ１の幅寸法が小さくなるとともに、手前から正面部１１Ａ側（後方側）に向かうに従い左右方向Ｘ１の幅が狭くなっている。
ここで、図３に示す側面視で、前後凸曲面１２ｄから上方に伸ばした延長線Ｐ０と前端傾斜部１２ｃ（開口部１３）との交点を通る水平方向の線を境界線Ｐとし、開口部１３において、境界線Ｐより下側を下側領域Ｐ１とし、上側を上側領域Ｐ２とする。
【００５５】
そして、本実施形態では、高さが低い小便器１であるので、下側領域Ｐ１の第１開口面積Ｓ１が一般の小便器よりも大きくなっている。ここで、下側領域Ｐ１の第１開口面積Ｓ１と上側領域Ｐ２の第２開口面積Ｓ２との比率は、例えば、Ｓ１：Ｓ２＝１：２に設定され、好ましくは１：１である。
このように構成することで、延長線Ｐ０より手前が曲面になることから、小便が前面部１２Ｄを介して前後凸曲面１２ｄに集まりやすい形状となり、図１及び図３の矢印Ｓで示すように、前後凸曲面１２ｄに小便が伝わり易くなる利点がある。
【００５６】
左右一対の側面部１１Ｂ、１１Ｂには、図４に示すように、便鉢１１の高さ方向でそれぞれ左右対称となるそれぞれの位置に洗浄棚１５が後方から前方に向けて下方向に延びて設けられている。この場合、小便器１は、スプレッダー２から吐水され左右一対の洗浄棚１５に乗った洗浄水Ｗが便鉢１１の下部前方の鉢底面１１Ｃに案内されるため、便鉢１１の下部前方を洗浄することができる。
また、洗浄棚１５は、前面部１２Ｄの先端よりも下の位置にあるので、意匠性がよい。
【００５７】
鉢底面１１Ｃの後方側には、図４及び図１１に示すように、上方に広がる椀形状をなす排水口１１ｃが設けられている。排水口１１ｃには、目皿４（図４参照）が配置されている。また、排水口１１ｃには、鉢底面１１Ｃの下方の底収納部１４（後述する）に配置される排水トラップ３の上端が接続されている。
【００５８】
鉢底面１１Ｃは、排水口１１ｃに排水が集まるように、排水口１１ｃに向かって緩やかに傾斜している。さらに、鉢底面１１Ｃは、上面視で前後方向Ｘ２に延びる一対の略直線部とそれら直線部の前端同士、後端同士をそれぞれ曲線で繋いだトラック形状をなしている。なお、鉢底面１１Ｃは、手前側が広がっていない形状であればよいので、上述した直線部は前後方向Ｘ２に延びる直線でなくてもよい。
このように鉢底面１１Ｃに傾斜面が形成され、中心周辺（小便が良くあたる位置）における平面の断面積が小さくなっているので、この傾斜面に当たった小便が外方に跳ねにくくなっている。
一方で、例えば鉢底面の形状を手前側で広くすると、手前側の平面部分が広くなり、側面部と前面部を繋ぐ曲面が小さくなり、曲面部で先浄水の流速が低下して先に鉢底面に落ちやすくなるため、前面部１２Ｄ側まで洗浄し難くなる。本実施形態では、上述したように鉢底面１１Ｃが手前側に広がらない形状としたことで、洗浄水の流速の低下を抑制することができる。
【００５９】
目皿４は、図４に示すように、円盤状をなし、円盤状の中心軸を上下方向Ｘ３に向けた状態で配置され、外径が排水口１１ｃの内径より僅かに小さく形成されている。目皿４は、円盤状の外周面が排水口１１ｃの内周面に当接することがなく、円盤状の外周面と排水口１１ｃの内周面との間に所定の間隔を設けた状態で配置されている。
【００６０】
図１３（ａ）、（ｂ）に示すように、スプレッダー２は、便鉢１１における正面部１１Ａの上部領域１１ａのほぼ左右中央に設けられ、洗浄水Ｗを便鉢１１の中央領域Ｕ１から左右端側まで広がるように吐水する。スプレッダー２は、洗浄水Ｗを噴出すると共に、小便器１の前に使用者が立ったことと遠ざかることを検出する超音波センサ２１が内蔵されている。超音波センサ２１は、送波器により超音波を対象物である使用者に向けて発信し、その反射波を受波器で受信することにより使用者を検出する機器である。本実施形態では、超音波センサ２１のセンサヘッド内に送波器と受波器が一体に設置されているものとする。
【００６１】
このように構成されるスプレッダー２では、図１３（ａ）、（ｂ）に示すように、小便器１の前に使用者が立つと、超音波センサ２１で人体を検出してその検出信号により吐水部２６から小便器１の便鉢１１に洗浄水Ｗが噴出される。そして、使用者が小便を終了して小便器１から遠ざかると、超音波センサ２１でこれを検出した検出信号が出力され、吐水部２６から便鉢１１に洗浄水Ｗが噴出されて便鉢１１を洗浄する。ここで、図１３（ａ）、（ｂ）において、吐水部２６から吐水され、左右側端部近傍まで広がった洗浄水Ｗ１、Ｗの流れを示している。
また、超音波センサ２１を有するスプレッダー２は便鉢１１の正面部１１Ａに設置しているため、超音波センサ２１の超音波が物理的に干渉することがなく、相互干渉による誤検知を生じない。
そして、スプレッダー２では、左右両端近傍まで広がる水幕を形成することができる。
【００６２】
スプレッダー２から下方に噴出される内側洗浄水Ｗ１は、便鉢１１の中央領域Ｕ１に向けて吐水される。また、スプレッダー２から左右方向に噴出される外側洗浄水Ｗ２は、中央領域Ｕ１よりも広範囲に広がるように左右領域Ｕ２に拡散されて吐水され、その一部が洗浄棚１５（図４参照）に乗って下部前方に案内されて鉢底面１１Ｃへ流下する。
そして、噴出された洗浄水Ｗ１、Ｗ２は、便鉢１１の鉢底面１１Ｃに向かって流れ、便鉢１１の中央領域Ｕ１及び左右領域Ｕ２にわたって広範囲にわたって洗浄することができる。
【００６３】
このように、スプレッダー２の吐水部２６から吐水される洗浄水Ｗは、スプレッダー２から放射状方向に、便鉢１１の面上を洗浄できない部分を生じさせないように広く広がるように流れ、便鉢１１を流下しながら便鉢１１全体を良好に洗浄することができる。
鉢底面１１Ｃまで流れた洗浄水Ｗは、排水口１１ｃから排水トラップ３を通過して排水される。
【００６４】
次に、本実施形態による小便器１の作用について説明する。
本実施形態の小便器１では、図１０及び図１１に示すように、周壁部１２の前面部１２Ｄにかかった小便が下方の底面部１２Ｅに向けて流れたときに、底面部１２Ｅの前部に形成される下に凸となる前後凸曲面１２ｄの前側から突端（下端）へ流れるが、前後凸曲面１２ｄの後側が上り勾配となることから突端に達した小便が前後凸曲面１２ｄの後方側に伝っていくことを規制することができる。
つまり、前面部１２Ｄから前後凸曲面１２ｄに達した小便は突端部分の手前で止まることから、小便器１の前側で小便を清掃することができ、容易にかつ確実な清掃を行うことができる。しかも前後凸曲面１２ｄが曲面形状であるため、小便の流れの勢いを落とし、床上に滴下することを防止できる。
【００６５】
このように本実施形態では、小便が底面部１２Ｅを伝って小便器１が取り付けられる背面側の壁面Ｋに達することを抑制することができ、従来のように壁面に達した小便が壁面と小便器の後面との間に浸入することによる悪臭の発生を防止できる。
また、頻繁に小便器１の奥側に手を差し込んで清掃する必要がなく、清掃にかかる手間や効率を向上させることができる。そして、清掃を行い難い壁面Ｋ側に小便が付着する汚れ残しが少なくなることから、臭いの発生を抑えることができる。
また、前後凸曲面１２ｄを設けることにより、正面視で排水トラップ３の下端部分を隠すことができ、外観が良好となり、意匠性を向上させることができる。
【００６６】
また、本実施形態では、前後凸曲面１２ｄが前面部１２Ｄから底面部１２Ｅに向けて単一の曲面で連続的に湾曲し、その湾曲部の後方側で上向きに延びて形成されているので、周壁部１２の前面部１２Ｄから連続的に前後凸曲面１２ｄに小便がスムーズに伝わるので、例えば前後凸曲面１２ｄに達する手前の位置で小便が溜まってしまうことを防ぐことができる。
【００６７】
また、本実施形態では、前面部１２Ｄが前傾姿勢となるため、前面部１２Ｄにかかった小便が底面部１２Ｅ側に向けて流れ易くなり、前面部１２Ｄの途中に小便が留まることを抑えることができる。しかも、前面部１２Ｄが前傾姿勢となることで、図１及び図３に示すように底面部１２Ｅの位置が後方側に隠れた位置となるため、前後凸曲面１２ｄで止まった小便が使用者から見えにくくなる利点がある。
【００６８】
また、本実施形態では、側面部１２Ｂ、１２Ｃの下方領域は、前方に向かって狭まるように湾曲しながら傾斜し、前面部１２Ｄにかけて湾曲しているので、側面部１２Ｂ、１２Ｃの下方領域にかかった小便が前面部１２Ｄ側に伝うようになるため、側面部１２Ｂ、１２Ｃの下方領域から前面部１２Ｄに集められた小便を底面部１２Ｅの前部に設けられる前後凸曲面１２ｄに向けて流すことが可能となる。
【００６９】
また、本実施形態による小便器１では、図１１に示すように、底面部１２Ｅには、上方に向けて窪んだ底凹部１２Ｆが形成され、底凹部１２Ｆの下端縁が便鉢１１の排水口に接続される排水トラップ３の下端３ｃよりも下方に位置しているので、底凹部１２Ｆにおける底面部１２Ｅと床との間を利用して清掃を行うことができる。
このとき排水トラップ３が底凹部１２Ｆの下端縁よりも上方に位置しているので、底面部１２Ｅと床との間に進入させた清掃治具等が排水トラップ３に当たることがないので、排水トラップ３の破損を防止することができる。また、排水トラップ３が底凹部１２Ｆ内に収まっていて側面視で排水トラップ３が隠れて見えない状態となっているので、意匠性を向上させることができる。
【００７０】
また、本実施形態では、図１１に示すように、底凹部１２Ｆの垂直壁１４３を小便器１を取り付ける壁面Ｋに添わせて配置し、底凹部１２Ｆのスペースを利用して垂直壁１４３にボルトを挿通させて壁面Ｋに固定することができる。この場合、垂直壁１４３を壁面Ｋに平行に配置できるので、固定に伴う陶器製の小便器本体１０の割れを防止することができる。
【００７１】
また、本実施形態では、垂直壁１４３の上端から前方に向けて排水トラップ３の外周壁が接続され、排水トラップ３における垂直壁１４３の前側に対向する部分（上向き壁３３）が前方に向かうに従って漸次、傾斜角度が小さくなるように下向きに傾斜していているので、垂直壁１４３と排水トラップ３との間のスペースを広く確保することができ、前述したようなボルトの締結がし易くなる。
【００７２】
また、本実施形態では、図２に示すように、底凹部１２Ｆの前方下端には、左右方向の中央部で下側に凸となる左右凸曲面１２ｅが形成されている。すなわち、前面部１２Ｄから伝わる小便が留まる前後凸曲面１２ｄの近傍に位置する左右凸曲面１２ｅが曲面を形成しているので、前後凸曲面１２ｄとともに清掃がしやすくなる。
【００７３】
また、本実施形態では、図７に示すように、便鉢１１と周壁部１２との接続部をなすリム１１Ｄは、縁無し形状をなし、便鉢１１内の下方領域には、水平断面視でリム１１Ｄの開口幅Ｄ１よりも大きい幅Ｄ２を有する部分が形成され、リム１１Ｄが便鉢１１内より開口幅が狭いために、便鉢１１内の広がった部分から跳ね返る小便をリム１１Ｄで防ぐことができるので、便鉢１１の外方に小便が跳ね返ることを抑制することができる。
【００７４】
このように本実施形態の小便器１によれば、底面部１２Ｅを伝って小便が取り付け壁面Ｋ側に流れることを抑制することができ、臭いの発生を抑えることができる。
【００７５】
以上、本発明による小便器１の実施形態について説明したが、本発明は上記の実施形態に限定されるものではなく、その趣旨を逸脱しない範囲で適宜変更可能である。
【００７６】
例えば、周壁部１２の底面部１２Ｅを小便が壁Ｋに向けて伝わりにくくする底面部１２Ｅの形状として、上述した実施形態に限定されることはなく、例えば図１４（ａ）〜（ｃ）に示す変形例による形状を採用してもよい。
【００７７】
図１４（ａ）に示す第１変形例は、底面部１２Ｅの後端寄りの位置に上に凹んだ上向き凹部１２ｆが形成されている。このような上向き凹部１２ｆを設けることで、例えば前後凸曲面１２ｄを乗り越えて底面部１２Ｅを伝って壁Ｋ側に流れる小便Ｓが上向き凹部１２ｆでその流れが阻止され、さらに壁Ｋ側に流れにくい構造となっている。
【００７８】
図１４（ｂ）に示す第２変形例は、前後凸曲面１２ｄの後側における底面部１２Ｅが後方の壁Ｋ側に向けて漸次、上に延びる前傾斜面１２ｇが形成された構成となっている。この場合、例えば前後凸曲面１２ｄを乗り越えて底面部１２Ｅを伝って壁Ｋ側に流れる小便Ｓが前傾斜面１２ｇで上りとなることから、その小便Ｓが阻止されて壁Ｋ側に流れにくい構造となっている。
【００７９】
図１４（ｃ）に示す第３変形例は、前後凸曲面１２ｄの後側における底面部１２Ｅが下に凸となる底湾曲面１２ｈが形成された構成となっている。この場合、例えば前後凸曲面１２ｄを乗り越えて底面部１２Ｅを伝って壁Ｋ側に流れる小便Ｓが底湾曲面１２ｈの壁Ｋ側で上りとなることから、その小便Ｓが阻止されて壁Ｋ側に流れにくい構造となっている。
【００８０】
また、本実施形態では、底面部１２Ｅの前部に設けられる前後凸曲面１２ｄが前面部１２Ｄから底面部１２Ｅに向けて連続した曲面で湾曲し、その湾曲部の後方側で上向きに延びて形成された構成としているが、このように前面部１２Ｄから底面部１２Ｅにかけて曲面が連続していない構成であってもかまわない。
【００８１】
また、周壁部１２の前面部１２Ｄは、底面部１２Ｅから上方に向けて前方に傾く前傾斜に形成されず、鉛直方向に延びる形状としてもよい。
さらに、前面部１２Ｄの下方領域は、前方に向かって狭まるように湾曲しながら前面部１２Ｄにかけて傾斜している本実施形態の構成に限定されることもない。
【００８２】
また、本実施形態では、底面部１２Ｅに上方に向けて窪んだ底凹部１２Ｆが形成されているが、このような底凹部１２Ｆが形成されない構成であってもよい。また、本実施形態では、底凹部１２Ｆの下端縁が、便鉢１１の排水口１１ｃに接続される排水トラップ３の下端３ｃよりも下方に位置しているが、これに限定されることはない。
また、本実施形態では、底凹部１２Ｆの前方下端において、正面視で幅方向の中央部で下側に凸となる左右凸曲面１２ｅが形成されているが、このような左右凸曲面１２ｅが形成されていないものであってもよい。
【００８３】
さらに、本実施形態では、底凹部１２Ｆの後壁として鉛直方向に延びる垂直壁１４３を形成しているが、この後壁が鉛直方向に延びるものであることに限定されることはい。
さらにまた、排水トラップ３の形状においても、本実施の形態の形状に限定されることはない。
【００８４】
また、本実施形態では、便鉢１１と周壁部１２との接続部をなすリム１１Ｄが縁無し形状としているが、縁あり形状のリムを対象としてもよい。そして、便鉢１１内の下方領域において、水平断面視でリム１１Ｄの開口幅よりも大きい幅を有する部分が形成されているが、このような構成に限定されることはない。
【００８５】
さらに、本実施形態では、便鉢１１の側面部１１Ｂ、１１Ｂに洗浄棚１５を設けた構成としているが、洗浄棚１５が設けられていない小便器であってもよい。
【００８６】
また、スプレッダー２の構成、取り付け位置は、本実施の形態に限定されることはなく、適宜設定することができる。
【００８７】
その他、本発明の趣旨を逸脱しない範囲で、上記した実施形態における構成要素を周知の構成要素に置き換えることは適宜可能である。
【符号の説明】
【００８８】
１  小便器
２  スプレッダー
３  排水トラップ
３ｃ  下端
４  目皿
１１  便鉢
１１ｃ  排水口
１１Ａ  正面部
１１Ｂ  側面部
１１Ｃ  鉢底面
１２  周壁部
１２Ａ  上面部
１２Ｂ、１２Ｃ  側面部
１２Ｄ  前面部
１２Ｅ  底面部
１２Ｆ  底凹部
１２ｄ  前後凸曲面
１２ｅ  左右凸曲面
１３  開口部
１４  便器空間部
２６  吐水部
Ｋ  壁面
Ｗ、Ｗ１、Ｗ２  洗浄水
Ｘ１  左右方向
Ｘ２  前後方向
Ｘ３  上下方向
【図１】
2019178572.tif 000003
【図２】
2019178572.tif 000004
【図３】
2019178572.tif 000005
【図４】
2019178572.tif 000006
【図５】
2019178572.tif 000007
【図６】
2019178572.tif 000008
【図７】
2019178572.tif 000009
【図８】
2019178572.tif 000010
【図９】
2019178572.tif 000011
【図１０】
2019178572.tif 000012
【図１１】
2019178572.tif 000013
【図１２】
2019178572.tif 000014
【図１３】
2019178572.tif 000015
【図１４】
2019178572.tif 000016